(57)【特許請求の範囲】
【請求項１】
エンジンのシリンダブロックにウォータージャケットを形成するためのウォータージャケット入子であって、
２個以上の略円筒形状の筒部が連設されて形成されており、
隣接する２個の筒部の連結箇所にはくびれ部が設けられており、
筒部とくびれ部との内部に、筒部の軸線方向に沿って伸びる空間が形成されていることを特徴とするウォータージャケット入子。
【請求項２】
空間は、くびれ部の内部、及び、
２個以上の筒部の連設方向と直交する方向における、筒部の最外周部の内部に形成されていることを特徴とする請求項１記載のウォータージャケット入子。
【請求項３】
ボアの周囲にウォータージャケットを備えたシリンダブロックを形成するための金型であって、
シリンダを形成するためのベース金型と、
請求項１又は２に記載のウォータージャケット入子と、
ウォータージャケット入子に挿入される入子であってボアに相当する空間に対応するボア入子とを備えることを特徴とする金型。
【発明の詳細な説明】
【技術分野】
【０００１】
本発明は、ウォータージャケット付シリンダブロックを鋳造するための金型に関する。特にウォータージャケットを形成するための金型パーツ（ウォータージャケット入子）に関する。
【背景技術】
【０００２】
エンジンのシリンダブロックには、高温になるシリンダを冷却するために、ボアの周囲に冷媒（例えば水）を通す空間を備えたタイプがある。なお、「ボア」とは、シリンダ内の空間を意味する。冷媒を通す空間はウォータージャケットと呼ばれる。一般に、ウォータージャケット付シリンダブロックは、鋳造にて製造される。例えば、特許文献１に、ウォータージャケット付シリンダブロックを鋳造するための金型が開示されている。その金型は、シリンダを形成するためのベース金型と、ボアを形成するための入子（ボア入子）と、ウォータージャケットを形成するための入子（ウォータージャケット入子）を備える。なお、以下では、ウォータージャケット入子をジャケット入子と略して呼ぶ場合がある。ジャケット入子は、鋳造されるシリンダブロックのボア数に応じた数の略円筒形状の筒部が連設されて形成されており、隣接する２個の筒部の連結箇所にはくびれ部が設けられている。
【先行技術文献】
【特許文献】
【０００３】
【特許文献１】特開２００７−３１３５５５号公報
【発明の概要】
【発明が解決しようとする課題】
【０００４】
特許文献１の金型を用いて鋳造を行う場合において、ジャケット入子は、金型に溶湯が供給された際に、溶湯の熱によって一時的に熱変形し、その後、温度低下に伴ってもとの形状に復帰する。この熱変形は、ジャケット入子の所定の部位が、溶湯の熱によって熱膨張することによって起こる。ジャケット入子のうち、変形量の大きい部位は、変形量の小さい部位に比べて破断し易い。本明細書は、溶湯の熱による熱変形の影響を従来よりも低減し得るジャケット入子を開示する。
【課題を解決するための手段】
【０００５】
本明細書は、エンジンのシリンダブロックにウォータージャケットを形成するためのウォータージャケット入子（ジャケット入子）を開示する。このジャケット入子は、２個以上の略円筒形状の筒部が連設されて形成されており、隣接する２個の筒部の連結箇所にはくびれ部が設けられており、筒部とくびれ部との内部に、筒部の軸線方向に沿って伸びる空間が形成されている。
【０００６】
本発明者らの鋭意研究の結果、溶湯の熱による熱変形の影響を小さくするためには、ジャケット入子のうち、熱が作用する部分の断面積を小さくすることが有効であることが判明した。熱が作用する部分の断面積が小さければ、その部分に発生する熱応力が小さくなるためである。熱応力δは、δ＝Ｅ・α・ΔＴ・Ａの数式（以下、数式１と呼ぶ）によって求めることができる。数式１において、Ｅはヤング率、αは材料固有の熱膨張係数、ΔＴは熱応力発生前と発生後の温度差、Ａは断面積をそれぞれ示す。上記の構成によると、ジャケット入子の筒部とくびれ部との内部に、筒部の軸線方向に沿って伸びる空間が形成されている。空間が形成されている部位周辺の断面積は、空間が形成されている分だけ小さくなる。そのため、空間が形成されている部位周辺に発生する熱応力は、それらの部位に空間が形成されていない場合の熱応力と比較して小さくなる。従って、鋳造時において、溶湯の熱によってジャケット入子に発生する熱変形の影響を従来よりも低減し得る。
【０００７】
上記のジャケット入子において、空間は、くびれ部の内部、及び、２個以上の筒部の連設方向と直交する方向における、筒部の最外周部の内部に形成されていることが好ましい。
【０００８】
発明者らは、ジャケット入子の部位毎の熱変形の傾向を分析した。その結果、鋳造時においては、ジャケット入子のうち、くびれ部の周辺と、２個以上の筒部の連設方向と直交する方向における、筒部の外周壁の最外周部（以下では「幅方向における最外周部」と呼ぶ）の周辺が、他の部位に比べて、溶湯の熱によって熱膨張し易いことが判明した。上記の構成によると、空間は、くびれ部と、各筒部の幅方向における最外周部との内部に形成されている。即ち、熱膨張し易い部分である、くびれ部周辺と、各筒部の幅方向における最外周部周辺の断面積が、空間が形成されている分だけ小さくなる。そのため、くびれ部周辺と、各筒部の幅方向における最外周部周辺に発生する熱応力も、それらの部位に空間が形成されていない構成における熱応力と比較して小さくなる。即ち、鋳造時において、くびれ部と、各筒部の幅方向における最外周部の熱膨張量を小さくすることができる。従って、鋳造時において、溶湯の熱によってジャケット入子に発生する熱変形の影響をより低減し得る。
【０００９】
本明細書は、ボアの周囲にウォータージャケットを備えたシリンダブロックを形成するための金型も開示する。この金型は、シリンダを形成するためのベース金型と、ベース金型に組み込む筒状の入子であってウォータージャケットに相当する空間に対応するウォータージャケット入子（ジャケット入子）と、ジャケット入子に挿入される入子であってボアに相当する空間に対応するボア入子とを備える。ジャケット入子は、上述したジャケット入子のうちいずれかのジャケット入子である。上述したジャケット入子を有するこの金型は、鋳造時において、溶湯の熱によってジャケット入子に発生する熱変形の影響をより低減し得る。ジャケット入子の寿命を伸ばすことができ、その結果、金型にセットするジャケット入子の交換頻度も低くし得る。
【図面の簡単な説明】
【００１０】
【図１】実施例の金型の模式的断面図を示す。
【図２】ジャケット入子の斜視図を示す。
【図３】ジャケット入子の平面図を示す。
【図４】図２のジャケット入子を部分的に切り欠いた様子の斜視図を示す。
【図５】ジャケット入子の平面図の部分拡大図を示す。
【発明を実施するための形態】
【００１１】
以下に説明する実施例の技術的特徴を列挙する。
（形態１）  くびれ部と、各筒部の幅方向における最外周部との間の部分には空間が形成されておらず、中実に形成されている。そのため、くびれ部と、各筒部の幅方向における最外周部とが熱膨張し、くびれ部と幅方向における最外周部との間の部分に引張応力が発生した場合であっても、くびれ部と幅方向における最外周部との間の部分が破断し難い。
（形態２）  両端の筒部においては、空間は、幅方向における最外周部の内部と、連設方向（長手方向）における最外周部の内部とに亘って形成されている。そのため、両端の筒部の外周部における熱膨張量を小さくすることもできる。従って、鋳造時において、溶湯の熱によってジャケット入子に発生する熱変形の影響を従来よりも低減し得る。
【実施例】
【００１２】
図面を参照して本実施例の金型を説明する。本実施例の金型は、ボアの周囲にウォータージャケットを備えたシリンダブロックを鋳造するための金型である。図１に示すように、金型２は、主な部品として、固定金型４と可動金型６を備える。金型２は、固定金型４と可動金型６とを組み合わせることによって形成される。固定金型４と可動金型６とは、ともに合金鋼製の金型である。固定金型４は、図示しない固定盤に固定されている。可動金型６は、図示しない可動盤に固定されている。可動盤の移動に伴って、可動金型６が固定金型４に密着／離間する。なお、金型同士を密着させることは「金型を閉じる」と称し、密着した金型を離間することは「金型を開く」と称する。図１は、金型を閉じたとき（可動金型６が固定金型４に密着したとき）の状態を示している。金型を閉じることにより、固定金型４と可動金型６との間に、シリンダブロックを鋳造するためのキャビティ８が形成される。
【００１３】
固定金型４は、従来のシリンダブロック鋳造用の固定金型に用いられているものと同様である。可動金型６は、シリンダを形成するためのベース金型１０と、ウォータージャケットに相当する空間に対応するウォータージャケット入子２０（ジャケット入子２０）と、ボアに相当する空間に対応するボア入子３０とを備える。「ウォータージャケットに相当する空間に対応する」とは、別言すれば、ウォータージャケットを形成するためのキャビティ面を有する」ことに相当する。同様に、「ボアに相当する空間に対応する」とは、「ボアを形成するためのキャビティ面を有する」ことに相当する。
【００１４】
ベース金型１０は、可動金型６の基礎部分を構成する金型であって、シリンダブロック全体を形成するための金型である。ベース金型１０には、ジャケット入子２０とボア入子３０とを収容して保持するための保持孔１２が開口されている。保持孔１２は有底の孔である。また、ベース金型１０のうち、固定金型４と対向する表面１４のうち、固定金型４と当接しない部分は、シリンダブロックの端部を形成するためのキャビティ面１４ａとなる。
【００１５】
ジャケット入子２０は、図１に示すように、ベース金型１０に組み付け可能な筒状の入子である。図１に示すように、ジャケット入子２０は、ベース金型１０から突出してキャビティ８に露出する造形部２２と、その造形部２２と連なっており、ベース金型１０に埋没する基部２４を備える。造形部２２は、筒状に形成されている。キャビティ８に露出した造形部２２は、ウォータージャケットを形成するためのキャビティ面に相当する。また、基部２４は、ジャケット入子の底部を構成する部位であって、略柱状に形成されている。基部２４には、ボア入子３０を収容して保持するための保持孔２５が開口されている。本実施例の保持孔２５は、基部２４の表面２６から裏面まで貫通している。また、略円柱形状の基部２４の表面２６は、ジャケット入子２０がベース金型１０に組み付けられた場合に、ベース金型１０の表面１４と同一平面上に露出し、シリンダの端部を形成するためのキャビティ面を構成する。基部２４の表面２６のことをキャビティ面２６と呼び換えてもよい。ジャケット入子２０のうち、造形部２２の外周面と、基部２４の外周面とは面一に形成されている。ここで、「造形部２２の外周面と基部２４の外周面とが面一である」とは、造形部２２の外周面と基部２４の外周面が境界なく連続していることを意味する。即ち、ジャケット入子２０の外周面において、造形部２２と基部２４との境界は、外見上は判別し難い。なお、図２では、理解を助けるために、仮想的な線（二点鎖線）にて、便宜上、造形部２２と基部２４を区別している。
【００１６】
図２に、ジャケット入子２０の斜視図を示す。本実施例のジャケット入子２０は、図２に示すように、４つの略円筒形状の筒部２８が連設されて形成されている。各筒部２８は、それぞれ、上述の造形部２２及び基部２４を備えている。筒部２８の数は、金型２で鋳造されるシリンダブロックのボア数に対応する数である。隣接する筒部２８の連結箇所には、くびれ部２９が設けられている。くびれ部２９とは、筒部２８より幅（筒部２８の連設方向と直交する方向における長さ）が小さい部分のことを意味する。なお、図２では、ジャケット入子２０の造形部２２及び基部２４の内部の構造については図示を省略している。
【００１７】
図３に、ジャケット入子２０の平面図を示す。図３に示すように、ジャケット入子２０の内部の複数個所には、空間４０が形成されている。空間４０は、各くびれ部２９の内部と、各筒部２８のうち、筒部２８の連設方向と直交する方向（幅方向）における最外周部２８ａの内部とに形成されている。なお、両端の筒部２８においては、空間４０は、筒部２８の幅方向最外周部２８ａの内部と、筒部２８の連設方向（長手方向）最外周部２８ｂの内部とに亘って形成されている。各筒部２８のうち、くびれ部２９と、幅方向における最外周部２８ａとの間の部分２８ｃには空間４０が形成されておらず、中実に形成されている。以下では、くびれ部２９と、幅方向における最外周部２８ａとの間の部分２８ｃのことを、中間部２８ｃと呼ぶ場合がある。
【００１８】
図４に、図２のジャケット入子２０を部分的に切り欠いた様子を示す斜視図を示す。図４に示すように、くびれ部２９の内部に形成されている空間４０は、筒部２８の軸線方向（図中上下方向）に沿って形成されている。本実施例では、空間４０は、ジャケット入子２０の内部のうち、上端付近から下端に亘って形成されている。即ち、本実施例では、空間４０は、その下端部がジャケット入子２０の下端面に開口するように形成されている。なお、本実施例では、図４に示すくびれ部２９の内部に形成されている空間４０に限られず、幅方向の最外周部２８ａの内部に形成されている空間４０も、同様に、上端付近から下端に亘って形成されている。
【００１９】
本発明者らは、本実施例のジャケット入子２０の部位毎の熱変形の傾向を分析した。その結果、図５に示すように、鋳造時においては、ジャケット入子２０のうち、くびれ部２９の周辺（図５中Ａ部分）と、筒部２８の幅方向の最外周部２８ａの周辺（図５中Ｃ部分）が、中間部２８ｃの周辺（図５中Ｂ部分）に比べて、溶湯の熱によって熱膨張し易いことが判明した。従って、鋳造時において、ジャケット入子２０のＡ部分とＣ部分とが熱膨張する結果、Ａ部分とＣ部分には、それぞれ、図５の矢印Ｘ方向と矢印Ｙ方向の熱応力が発生することが判明した。さらに、本発明者らの鋭意研究の結果、溶湯の熱による熱変形の影響を小さくするためには、ジャケット入子のうち、熱が作用する部分の断面積を小さくすることが有効であることが判明した。熱が作用する部分の断面積が小さければ、その部分に発生する熱応力が小さくなるためである。熱応力δは、δ＝Ｅ・α・ΔＴ・Ａの数式（数式１）によって求めることができる。数式１において、Ｅはヤング率、αは材料固有の熱膨張係数（熱膨張率）、ΔＴは熱応力発生前と発生後の温度差、Ａは断面積をそれぞれ示す。
【００２０】
本実施例のジャケット入子２０は、図５に示すように、Ａ部分及びＣ部分の内部に空間４０が形成されているため、Ａ部分及びＣ部分の断面積は、空間４０が形成されている分だけ小さくなる。そのため、Ａ部分及びＣ部分に発生する熱応力も、Ａ部分及びＣ部分に空間４０が形成されていない構成における熱応力と比較して小さくなる。その結果、鋳造時において、Ａ部分及びＣ部分における熱膨張量を小さくすることができる。従って、鋳造時において、溶湯の熱によってジャケット入子２０に発生する熱変形の影響を従来よりも低減し得る。
【００２１】
次いで、ボア入子３０について説明する。図１に示すように、ボア入子３０は、ベース金型１０の表面１４側（キャビティ面１４ａ側）から、ジャケット入子２０内に挿入される入子である。ボア入子３０は、保持孔２５に挿入される略円柱状の入子であって、シリンダのボアに相当する空間に対応する入子である。ボア入子３０は、キャビティ８に露出して、ボアを形成するための造形部３２と、ジャケット入子２０内に埋没する基部３４とを備える。
【００２２】
本実施例のジャケット入子２０とボア入子３０をベース金型１０に組み付ける場合は、以下のようにする。まず、作業者は、ジャケット入子２０の基部２４を、ベース金型１０の表面１４側から保持孔１２に挿入する。保持孔１２に挿入された基部２４は、図示しないボルト等の係止具によって、ベース金型１０に固定される。この結果、ジャケット入子２０の造形部２２はキャビティ８に露出する。次いで、作業者は、ボア入子３０の基部３４を、ベース金型１０に組み付けられたジャケット入子２０の保持孔２５に挿入する（図１参照）。保持孔２５に挿入された基部３４は、図示しないボルト等の係止具によって、ジャケット入子２０に固定される。この結果、ボア入子３０の造形部３２もキャビティ８に露出する。
【００２３】
以上、本実施例の金型２について説明した。上述の通り、本実施例の金型２では、図５に示すように、くびれ部２９の周辺（Ａ部分）の内部と、筒部２８の幅方向の最外周部２８ａの周辺（Ｃ部分）の内部に、空間４０が形成されている。Ａ部分とＣ部分とは、中間部２８ｃの周辺（Ｂ部分）に比べて、溶湯の熱によって熱膨張し易い部分である。熱膨張し易い部分であるＡ部分とＣ部分の内部に空間４０を形成し、Ａ部分とＣ部分の断面積を小さくしているため、鋳造時においてＡ部分及びＣ部分に発生する熱応力は、Ａ部分及びＣ部分に空間４０が形成されていない構成における熱応力と比べて小さくなる。その結果、鋳造時において、Ａ部分及びＣ部分における熱膨張量も小さくすることができる。従って、鋳造時において、溶湯の熱によってジャケット入子２０に発生する熱変形の影響を従来よりも低減し得る。
【００２４】
また、本実施例では、Ｂ部分は、内部に空間４０が形成されておらず、中実である。そのため、鋳造時に、Ａ部分とＣ部分が熱膨張して、Ａ部分とＣ部分にそれぞれ矢印Ｘ方向と矢印Ｙ方向の熱応力が発生し、その結果Ｂ部分に引張応力が発生した場合であっても、Ｂ部分は破断し難い。
【００２５】
さらに、本実施例では、図３に示すように、両端の筒部２８においては、空間４０は、筒部２８の幅方向最外周部２８ａの内部と、筒部２８の連設方向（長手方向）最外周部２８ｂの内部とに亘って形成されている。別言すれば、両端の筒部２８においては、筒部２８の幅方向最外周部２８ａと筒部２８の連設方向（長手方向）最外周部２８ｂとに亘ってそれらの内部に一つの空間４０が形成されている。そのため、両端の筒部２８の外周部における熱膨張量を小さくすることもできる。従って、鋳造時において、溶湯の熱によってジャケット入子２０に発生する熱変形の影響を従来よりも低減し得る。
【００２６】
また、本実施例の金型２は、図１に示すように、上述のジャケット入子２０を備える。そのため、シリンダブロックの鋳造時において、溶湯の熱によってジャケット入子２０に発生する熱変形の影響を低減し得る。ジャケット入子２０の寿命を伸ばすことができ、その結果、金型２にセットするジャケット入子２０の交換頻度も低くし得る。
【００２７】
上記の実施例の変形例を以下に列挙する。
（１）上記の実施例では、ジャケット入子２０内部に形成される複数個の空間４０は、それぞれ、筒部２８の軸線方向に沿って伸びる形状に形成されており、ジャケット入子２０の内部のうち、上端付近から下端に亘って形成されている。空間の形状はこれに限らず、任意とすることができる。従って、例えば、空間は、筒部２８の軸線方向に沿って断続的に複数個形成されていてもよい。
（２）上記の実施例では、可動金型６が、ベース金型１０と、ジャケット入子２０と、ボア入子３０とを備える例を説明した。これに代えて、固定金型の側に、ベース金型と、ジャケット入子と、ボア入子とを備えてもよい。
（３）上記の実施例では言及していないが、ベース金型１０は、さらに、キャビティ８内で鋳造されるシリンダブロックを押し出すための押出しピンを備えていてもよい。
（４）ベース金型１０にジャケット入子２０とボア入子３０を組み付ける順序は、上述した順序に限られない。例えば、ジャケット入子２０内にボア入子３０を予め挿入しておき、そのジャケット入子２０をベース金型１０に挿入して組み付けるようにしてもよい。
【００２８】
実施例のジャケット入子２０の構造は、別の観点から次のように表現することもできる。ジャケット入子２０は、ウォータージャケット付シリンダブロックを鋳造するための金型（固定金型４と可動金型６）の一部であって、ウォータージャケットを形成するためのキャビティ面を構成する入子である。そのウォータージャケット入子２０は、並列に連接する複数の円筒状のボア（ボア空間）に相当する空間を囲んで筒状に伸びている造形部２２を備えている。その造形部２２は、ボアの軸線に（軸線に相当する直線に）交差する断面で見たときに、隣り合う２個のボアの中心を結ぶ線分の垂直二等分線と交差する部位がくびれている瓢箪型をなしている。より正確には、造形部は、隣り合う全ての２個のボアについて、ボアの中心を結ぶ線分の垂直二等分線と交差する部位がくびれている。実施例のくびれ部２９が、「くびれている部位」に相当する。さらに、造形部２２は、前記した断面で見たときに、ボアの中心を通る直線であって複数ボアの連接方向と直交する直線と交差する部位であり、円筒状ボアの外周に沿って造形部全体の筒の外側方向に湾曲している湾曲部（最外周部２８ａ）の内部と、くびれている部位（くびれ部２９）の内部に、ボアの軸線方向に伸びる空間４０が形成されている。なお、「湾曲部の内部」、「くびれている部位の内部」とは、造形部２２の筒を形成している壁の内部を意味する。
【００２９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３０】
２：金型
４：固定金型
６：可動金型
８：キャビティ
１０：ベース金型
１２：保持孔
１４：ベース金型の表面
１４ａ：キャビティ面
２０：ウォータージャケット入子（ジャケット入子）
２２：造形部
２４：基部
２５：保持孔
２６：キャビティ面
２８：筒部
２８ａ：（幅方向）最外周部
２８ｂ：（長手方向）最外周部
２８ｃ：中間部
２９：くびれ部
３０：ボア入子
３２：造形部
３４：基部
４０：空間
【図１】
0005527190.tif 000002
【図２】
0005527190.tif 000003
【図３】
0005527190.tif 000004
【図４】
0005527190.tif 000005
【図５】
0005527190.tif 000006